【事件の表示】
　特願２０１８−　１００９３「眼科撮影装置および撮影制御プログラム」拒絶査定不服審判事件〔平成３０年　５月３１日出願公開、特開２０１８−　８３１０６〕について、次のとおり審決する。
【結　論】
　本件審判の請求は、成り立たない。
【理　由】
第１　手続の経緯
　本願は、平成２５年１月２３日に出願された特願２０１３−１０４４２号の一部を、平成３０年１月２４日に新たに出願したものであって、平成３０年１０月１６日付けで拒絶理由が通知され、同年１２月２５日付けで意見書及び手続補正書が提出され、令和元年５月９日付けで拒絶理由が通知され、同年７月１６日付けで意見書及び手続補正書が提出され、同年１０月１０日付けで拒絶査定（原査定）がされ、これに対し、令和２年１月１４日に拒絶査定不服審判の請求がされたものである。
第２　本願発明
　本願の請求項１〜６に係る発明は、令和元年７月１６日付けの手続補正によって補正された特許請求の範囲の請求項１〜６に記載された事項により特定されるものであり、そのうち請求項１に係る発明（以下「本願発明」という。）は、以下のとおりのものである。
「　【請求項１】
　被検眼眼底の断層画像を生成するための測定光を前記眼底上に走査させる走査手段と、
前記被検眼眼底の正面画像を生成するための観察光学系と、を備え、前記正面画像、および、前記走査手段によって前記測定光が走査される横断位置における前記断層画像を取得する眼科撮影装置であって、
　被検眼眼底の黄斑上と乳頭上を通過する基準ラインを、前記正面画像上に設定する基準ライン設定手段と、
　前記基準ライン設定手段によって設定された前記基準ラインに対する角度が所定角度である前記横断位置を設定する横断位置設定手段と、
　前記走査手段の駆動を制御し、前記横断位置設定手段によって設定された前記横断位置に対応する前記眼底上に、前記測定光を走査させる走査制御手段と、を備え、
　前記基準ライン設定手段は、前記観察光学系によって生成される前記正面画像上における被検眼眼底の黄斑と乳頭の位置を検出し、黄斑上と乳頭上を通過する前記基準ラインを前記正面画像上に設定することを特徴とする眼科撮影装置。」
第３　原査定の拒絶の理由
　原査定の拒絶の理由は、本願発明は、引用文献１に記載された発明及び引用文献３〜５に記載された周知技術に基いて、当業者が容易に発明をすることができたものであるから、特許法第２９条第２項の規定により特許を受けることができない、というものである。
引用文献１：特開２０１１−２２４３４７号公報
引用文献２：省略
引用文献３：特開平９−３２７４４０号公報
引用文献４：特開２００８−２２９２９号公報
引用文献５：特開２０１１−１１０１５８号公報
引用文献６：省略
第４　引用文献の記載及び引用発明
１　引用文献１について
（１）引用文献１の記載
　引用文献１には、以下の事項が記載されている（下線は、当審で付した。以下同じ。）。
（引１ア）
「【実施例１】
【００１１】
　本実施例における
断層撮影システム１００は、画像処理装置１１０にて断層撮影装置１２０により撮像された複数の断層画像をＢスキャンの方向の相対関係を示すように表示形態を決定し、表示装置１３０に表示する
【００１２】
　図１は断層撮影システム１００の構成を示す。同図に示す光干渉断層撮影システムは、画像処理装置１１０、断層撮影装置（ＯＣＴ撮影装置）１２０と表示装置１３０を備える。画像処理装置１１０は、光干渉断層撮影装置１２０から断層画像や眼底画像を取得して、断層像の表示制御を行う。また画像処理装置１１０は断層撮影装置１２０に対して撮影条件の入力や撮影指示を行う撮影制御装置としても機能する。断層撮影装置１２０は、信号光で被検眼の網膜をスキャンすることで網膜の断層像と眼底画像を撮像する。これについては後述する。表示装置１３０は、例えば液晶ディスプレイ等からなり、撮影対象の断層画像や眼底画像、画像処理装置１１０により加工された断層画像や眼底画像、撮像制御パラメータなどを表示する。
【００１３】
　
画像処理装置１１０は
【００１４】
　画像取得部１０１は外部装置とのデータのやり取りを行う入出力部であり、
断層撮影装置１２０から撮影対象の断層画像を取得する。また、これと合わせて撮影対象の表面の画像も取得する。
撮影対象を眼部の網膜
表面の画像として
眼底画像
（引１イ）
「【００２４】
　次に図２に基づいて断層撮影装置１２０の構成を説明する。図２は断層撮影装置１２０の構成を図示したものであり、断層撮影装置１２０は、光干渉断層計（ＯＣＴ：Ｏｐｔｉｃａｌ  Ｃｏｈｅｒｅｎｃｅ  Ｔｏｍｏｇｒａｐｈｙ）の原理を利用した光干渉断層撮影装置であり、低コヒーレンス光により撮影対象を所定の主走査線に沿ってスキャンすることで断層画像を得る。
【００２５】
　断層撮影装置１２０は撮影対象の一例である眼球ＥＢの網膜ＲＴを信号光でスキャンして断層画像を取得する。本実施例において断層撮影装置１２０は干渉光を分光して検出した信号をフーリエ変換して断層像を生成するスペクトラルドメイン方式とする。なお以降の説明では撮影対象に入射する信号光の光軸方向をＺ軸、Ｚ軸と直交する平面内にＸ軸及びＹ軸を取る。
【００２６】
　図２において低コヒーレンス光源であるＳＬＤ２０１から発せられた光はファイバカプラ２０３に入射する。ファイバカプラ２０３は入射した光を信号光Ｂｍと参照光Ｂｒに分離し、信号光Ｂｍは光ファイバにより走査光学系３０４に、参照光Ｂｒは参照光コリメータ２０８に出力される。
【００２７】
　
走査光学系２０４は入力した信号光Ｂｍをガルバノミラー２０６に集光し、集光された信号光の網膜ＲＴへの入射位置を順次変えることにより網膜ＲＴの走査を行う。
・・・
【００３１】
　本実施例では、
信号処理部２１１が、走査光学系２０４により網膜ＲＴを複数の異なるＢスキャン方向に走査することにより得られる前記信号光の戻り光に基づいてＢスキャンの方向が異なる複数の断層画像を形成する
【００３２】
　また、断層撮影装置１２０は眼底カメラ２０２のユニットを有しており、撮影対象である被検眼ＥＢの網膜ＲＴが存在する眼底を撮影することができる。
眼底カメラ２０２は眼底に対して赤外光や可視光を撮影光として照射し、眼底からの反射光を受光して眼底画像を形成する。
（引１ウ）
「【実施例２】
【００６４】
　本実施例では、実施例１の表示に加えて、眼底画像も画面上に表示させる。また、眼底画像上に複数の断層画像のＢスキャン位置を重畳して表示し、断層画像と対応付けて表示させる。更に、本実施例では、さらに診断用断層像の撮影方向を考慮して、第１断層像と第２断層像の表示配置を決定する。
【００６５】
　本実施例における表示制御部１０５は、複数の断層画像と共に眼底画像を表示画面領域に表示させる。また、表示制御部１０５は制御部１０３から得たＢスキャンの位置の情報に基づいて、眼底画像上にＢスキャンの位置を重畳表示する。更に、眼底画像において示された各Ｂスキャンの位置と、各断層画像との対応関係を示す表示を行う。
【００６６】
　本実施例の表示制御部１０５により表示装置１３０に表示される画面の例を図６に基づいて説明する。図６（ａ）は、眼底画像６０４と第１断層像と第２断層像の撮像位置６０５を表示する例でもある。ここで、撮影位置６０５は、図に示す通りに十字型のマークであり、第１断層像撮影方向と第２断層像撮影方向をそれそれ示している。図６（ａ）の例では、眼底における網膜のＹ方向（垂直方向）の線分が第１の断層画像のＢスキャン位置を示す。さらに、網膜のＸ方向（水平方向）の線分は、第１断層像のＢスキャン位置を直交する第２の断層画像のＢスキャン位置を示す。色の違いにより、両者を区別できるようにしている。図６（ａ）は、色の代わりに、点線と実線を用いて二つの断層画像を区別している。なお、これに限らず、対応する断層画像の枠の色と眼底画像上のＢスキャン位置を示す線分の色を対応付けるようにしてもよい。
【００６７】
　また図６（ａ）は実施例１と異なり、
第１の断層画像６０２は垂直方向のスキャンにより得られる断層画像であり、第２の断層画像６０３は水平方向のスキャンにより得られる断層画像である
本撮影の主走査方向が
視神経乳頭部と黄斑を結ぶ基準線と直交している
病変の状態によっては、本撮影の主走査方向を基準線と斜交する向きに取る場合があり
（２）引用発明
　上記（１）の記載事項から、引用文献１には、次の発明（以下、「引用発明」という。）が記載されていると認められる。
　「画像処理装置１１０にて断層撮影装置１２０により撮像された複数の断層画像をＢスキャンの方向の相対関係を示すように表示形態を決定し、表示装置１３０に表示する光干渉断層撮影システムであって、
　画像処理装置１１０は、断層撮影装置１２０から眼部の網膜の断層画像を取得し、また、これと合わせて眼部の網膜の表面の画像（眼底画像）も取得し、
　走査光学系２０４は、入力した信号光Ｂｍをガルバノミラー２０６に集光し、集光された信号光の網膜ＲＴへの入射位置を順次変えることにより網膜ＲＴの走査を行い、信号処理部２１１が、走査光学系２０４により網膜ＲＴを複数の異なるＢスキャン方向に走査することにより得られる前記信号光の戻り光に基づいてＢスキャンの方向が異なる複数の断層画像を形成し、
　眼底カメラ２０２は、眼底に対して赤外光や可視光を撮影光として照射し、眼底からの反射光を受光して眼底画像を形成するものであり、
　第１の断層画像６０２は、垂直方向のスキャンにより得られる断層画像であり、第２の断層画像６０３は、水平方向のスキャンにより得られる断層画像であり、本撮影の主走査方向が、視神経乳頭部と黄斑を結ぶ基準線と直交しており、病変の状態によっては、本撮影の主走査方向を基準線と斜交する向きに取る場合がある、
　光干渉断層撮影システム。」
２　引用文献３について
　引用文献３には、以下の事項が記載されている。
（引３ア）
「【００１４】第１の実施の形態では、眼底の黄斑部３０４の中心の中心窩小窩３０１を原点Ｐとし、中心窩小窩３０１と視神経乳頭部中心３１２とを結ぶ線を基準線としている。
【００１５】
まず、処理したい眼底画像１０１が入力部１０３を通じて入力されると、制御部１０４から特徴抽出部１０５ヘ、視神経乳頭部中心３１２を求める処理（Ｓ２０２）、黄斑部３０４の中心（中心窩小窩３０１）を求める処理（Ｓ２０３）、黄斑部３０４と視神経乳頭部３１３の中心３１２を結ぶ直線をｘ軸３０２とする処理（Ｓ２０４）
の一連の処理を実行するように命令される
【００１６】特徴抽出部１０５は、まず視神経乳頭部中心３１２を求める処理（Ｓ２０２）、黄斑部３０４の中心（中心窩小窩３０１）を求める処理（Ｓ２０３）を実行する。この処理ではまず、視神経乳頭部を含むような縦横Ｍc ×Ｎc の四角形を、領域選択された視神経乳頭を含む領域Ａ４０３として、また黄斑部を含むような縦横Ｍf ×Ｎf の四角形を、領域選択された黄斑部を含む領域Ｂ４０４として、入力部２０３からマウス等で指定される。特徴抽出部１０５は領域Ａ４０３、領域Ｂ４０４に対してそれぞれ、縦（ｓ軸）方向、横（ｔ軸）方向の各画素の輝度を積算して横（ｔ軸）方向、縦（ｓ軸）方向に面積ヒストグラムＡ、Ｂ、Ｃ、Ｄを作製する。領域Ａ４０３では、横方向の面積ヒストグラムＡ４０５の最大値ｔc と、縦方向の面積ヒストグラムＣ４０７の最大値ｓc とを視神経乳頭の中心３１２の位置座標（ｔc ，ｓc ）として表わす。同様に領域Ｂ４０４では、横方向の面積ヒストグラムＢ４０６の最小値ｔf と、縦方向の面積ヒストグラムＤ４０７の最小値ｓf とを黄斑部３０４の中心（中心窩小窩３０１）の位置座標（ｔf，ｓf ）として表わす。
【００１７】本実施の形態では、領域の設定を外部からマウス等で指定することとしたが、画像全体の領域に対して上述の面積ヒストグラムをとり、画像の周辺部を除き、最大値をとる座標を視神経乳頭の候補とし、該座標を中心とした視神経乳頭を十分包む領域を設定し、その領域を上記説明のマウスで指定した領域と同等とみなし処理を同様に行なう。また、画像全体の領域に対して上述の面積ヒストグラムをとり、画像の周辺部を除き、最小値をとる座標を黄斑部の候補とし、該座標を中心とした黄斑部を十分包む領域を設定し、その領域を上記説明のマウスで指定した領域と同等とみなし処理を同様に行なう。以上のことにより、自動的に２つの位置座標を決定することも可能である。
【００１８】特徴抽出部１０５は、次に黄斑部３０４と視神経乳頭部３１３の中心を結ぶ直線をｘ軸３０２とする処理（Ｓ２０４）、および黄斑部３０４の中心を原点として、ｘ軸３０２と直交する直線をｙ軸３０３とする処理（Ｓ２０５）を実行し、黄斑部３０４の中心（中心窩小窩３０１）を原点とする直交座標系を作成する。その後、特徴抽出部１０５は上述の処理Ｓ２０２からＳ２０５までを実行した結果を制御部１０４を経由して表示部１０９に表示する。」
２　引用文献４について
　引用文献４には、以下の事項が記載されている。
（引４ア）
「【００３３】
（実施例２）  本実施例の画像解析装置は、眼底画像の中の血管を抽出する血管抽出処理部と、血管抽出処理部が抽出した血管の中から解析に適した血管を選択する解析対象血管選択処理部と、解析対象血管選択処理部によって選択された血管の画像を用いて動静脈口径比の算出を行う動静脈口径比算出処理部を含んでいる。又、本実施例の画像解析装置は、眼底画像の中の視神経乳頭部に相当する位置を検出する視神経乳頭位置検出処理部と、眼底画像の中の黄斑部に相当する位置を検出する黄斑部位置検出処理部と、血管抽出処理部が抽出した血管の径を解析する血管径解析処理部とを含んでいる。本実施例におけるこれらの処理部は、実施例１と同様に、コンピュータの内部記憶手段に、ＣＰＵ（中央演算装置）で実行可能な形式のプログラムとして記憶されており、順次実行されて画像解析が行われる。
【００３４】
　更に、本実施例の画像解析装置は、解析に適した血管として、上方耳側と下方耳側に延びる２対の主幹動静脈に関する種々のデータを記憶した解析対象血管位置データベースを備えている。これらのデータは、右眼に関するデータと左眼に関するデータに別々に分類されて記憶されている。これらのデータに加えて、本実施例の解析対象血管位置データベースは、それぞれの目の上方耳側と下方耳側に延びる２対の主幹動静脈の、血管径と、視神経乳頭部から延びる方向とを、解析に適した血管を選択する特性条件として、それぞれの眼について記憶している。解析対象血管位置データベースもまた、コンピュータの内部記憶手段に記憶されている。
【００３５】
　解析に適した血管を選択する特性条件として、血管径と、視神経乳頭部から延びる方向の特性条件を特定するために、多数の右眼の眼底画像を解析し特性を検討した結果を、図５に示す。この図は、多数の血管を解析して、その血管が視神経乳頭から延びる角度を横軸にとり、血管の平均径を縦軸にとってその関係を示したグラフである。図５において、○印で示された血管は、迅速に解析が可能で、且つ従来の手作業による解析と同等以上の精度の動静脈口径比を得られる主幹動静脈であり、×印で示された血管は、解析時に誤差が大きく、且つ結果を得る処理に時間のかかる他の血管である。尚、図５の横軸に示されている角度は、図６（ａ）に示すように、視神経乳頭部２の中心と黄斑部１２の中心を通る基準線８と、血管４の接線１０とのなす角度を画像の右側から計測した角度θであって、上方の角度を正の角度とし、下方向の角度を負の角度と定めている。
【００３６】
　図６（ａ）に示す計測方法によって、図５に示すように、多くの右眼の血管の解析と検討の結果、動静脈口径比の解析に適した主幹動静脈は、視神経乳頭部２を中心として、基準線８に対して上方５５度〜１３０度、又は下方５５度〜１３０度の方向に延びていることが特定された。又、解析に適した血管の平均径即ち太さの平均値は、１５マイクロメートル以上であることが明らかとなった。
【００３７】
　左眼に関しても、図６（ｂ）に示すように、同様に眼底画像１に基準線８を設定して、血管の延びる方向θと血管の径についての解析と検討を行った結果、動静脈口径比の解析に適した主幹動静脈は、視神経乳頭部２を中心として、基準線８に対して上方５０度〜１２５度、又は下方５０度〜１２５度に延びており、且つ解析に適した血管の平均径が１５マイクロメートル以上であることが明らかとなった。
【００３８】
　これらの解析と検討の結果に基づき、本実施例の解析対象血管位置データベースは、右眼における眼底画像の解析に適した血管の条件を、視神経乳頭部から延びる方向が、基準線８に対する鼻側からの角度が上方５５度〜１３０度若しくは下方５５度〜１３０度であって、且つ血管の平均径は、１５マイクロメートル以上であると規定し、解析に適した血管の特性条件として記憶している。又、左眼における眼底画像の解析に適した血管の条件については、視神経乳頭部から延びる方向が、基準線８に対して上方５０度〜１２５度若しくは下方５０度〜１２５度であって、且つ血管の平均径は、１５マイクロメートル以上であると規定し、解析に適した血管の特性条件として記憶している。
【００３９】
　以下、本実施例の画像解析装置によって実行される、眼底画像に撮影された血管の動静脈口径比の解析の処理の内容を、図２のフロー図に従って説明する。これまで述べてきたように、本実施例の画像解析装置の解析対象血管位置データベースには、解析に適した血管の特性条件として、血管が視神経乳頭部から延びる方向の条件と、血管の径の条件が記憶されている（ステップＳ２２）。
【００４０】
　次に、ステップＳ２４で、眼底画像１が入力される。眼底画像１は、画像解析装置に備えられている撮影部による撮影で得られる他、任意の撮影装置で撮影された眼底画像１を外部から入力して利用することができる。画像には、撮影された眼が右眼か左眼かを識別する識別情報が記録されており、入力と同時に、この情報によって右眼か左眼かが識別される。
【００４１】
　ステップＳ２６で、本実施例の
画像解析装置の視神経乳頭位置検出処理部は、眼底画像１の画素値を解析して、画像に撮影されている視神経乳頭部２を検出する
【００４２】
　ステップＳ２８で、本実施例の
画像解析装置の黄斑部位置検出処理部は、眼底画像１の画素値を解析して、画像に撮影されている黄斑部１２の位置を検出する
視神経乳頭部２と黄斑部１２が検出されると、画像解析装置は、眼底画像１に、検出した視神経乳頭部２の中心と黄斑部１２の中心を結ぶ基準線８を設定する
４　引用文献５について
　原査定の拒絶の理由で引用された引用文献５には、以下の事項が記載されている。
（引５ア）
「【００６９】
（第２実施形態）
　第１の実施形態では、網膜の基準座標系を決定するために、広域網膜像として広域断層像を用いて行ったが、視神経乳頭部と黄斑部などの網膜の解剖学的特徴を含む被検眼の検査結果により取得される検査画像データであればよい。本実施形態に係る画像処理装置は、眼底の表面の２次元画像（眼底画像）から視神経乳頭部と黄斑部を抽出して、網膜基準座標系を決定する。
【００７０】
　本実施形態に係る画像処理装置１０の構成は第１実施形態で説明した図１（ａ）の構成と同じなので、説明を省略する。但し、網膜像取得部１１０は不図示の眼底画像撮像装置から送信される網膜表面の広域２次元画像（網膜の黄斑と視神経乳頭部を写している画像）と、断層像撮像装置２０から送信される解析対象の断層像と被検眼情報とを取得する。眼底画像と解析対象の断層像と被検眼情報は記憶部１２０に保存される。さらに、
基準座標系決定部１４０の網膜像特徴点検出部１４１は、広域網膜像である眼底画像から視神経乳頭部と黄斑を検出して、基準座標系を決定する
【００７１】
　図８（ａ）を参照して、本実施形態の画像処理装置１０の処理手順を説明する。なお、ステップＳ８１０とステップＳ８３０以外は第１の実施形態の図２（ａ）と同様の処理となるので、説明を省略する。
【００７２】
　ステップＳ８１０において、網膜像取得部１１０は、不図示の眼底画像撮像装置から送信される被検眼の眼底画像と、断層像撮像装置２０から送信される被検眼の解析対象の断層像と、左右の被検眼情報を取得する。そして、ステップＳ８１０で得られた眼底画像と解析対象の断層像と被検眼情報とを記憶部１２０に記憶する。ステップ８１０で得られる眼底画像には、網膜の黄斑部と視神経乳頭部とが含まれるものとする。
【００７３】
　ステップＳ８３０において、基準座標系決定部１４０は、ステップＳ８１０で得られた解析対象の断層像の基準座標系を決定する。そのために、まず、ステップＳ８１０で得られた眼底画像を用いて、解剖学的特徴に基づいて網膜の基準座標系を決定する。解剖学特徴として網膜の視神経乳頭部と黄斑を用いる。基準座標系は、視神経乳頭部と黄斑を結ぶ線を構成する座標系とする。次に、眼底画像と解析対象の断層像の投影像の対応点とを決定し、位置合わせを行い、眼底画像で決定された基準座標系を元に、解析対象の断層像の基準座標系を決定する。
【００７４】
　図８（ｂ）の参照により、ステップＳ８３０における基準座標系の決定処理の詳細を説明する。
【００７５】
　ステップＳ８３１において、網膜像特徴点検出部１４１は、眼底画像から視神経乳頭部と黄斑部の中心を抽出する。図９（ａ）は、眼底画像Ｆの一例を示す。図９（ａ）には、視神経乳頭部D、黄斑部Ｍと血管Vが示されている。まず、視神経乳頭部Dの中心の抽出方法の一例を示す。視神経乳頭部Dの領域を検出するために、眼底画像の全体の色分布を調べる。眼底画像中では、視神経乳頭部Dの画素値は高い（明るい）ことは知られている。色分布を調べ、画像中の明るい領域（視神経乳頭部）の中心は視神経乳頭部の中心とする。
　次に、黄斑部Ｍ中心の中心窩を抽出する方法の一例を示す。眼底画像中では、黄斑部Ｍの画素値は低い（暗い）ことは知られている。
色
【００７６】
　ステップＳ８３２において、
基準座標系決定部１４０は、網膜像特徴点検出部１４１で抽出された視神経乳頭部Ｄの中心と黄斑部Ｍの中心とを結んだ直線に基づいて、眼底画図中の基準座標系を決定する
【００７７】
　図９（ｂ）の参照により、眼底画像Ｆの基準座標系の決定方法を説明する。基準座標系の原点Ｃは視神経乳頭部Dの中心にして、一つ目の軸は、視神経乳頭部Ｄの中心と黄斑部Ｍの中心とを結んだ直線（軸Ｂ１）として求められる。さらに、視神経乳頭部Dの中心から黄斑部Ｍの中心までの距離を正規化して、視神経乳頭部Dの中心が位置０とすると、黄斑部Ｍの中心は、位置１．０である。基準座標系の二つ目の軸は、原点Ｃで軸B１を直交する眼底画像Ｆ上の直線（軸Ｂ２）とする。三つ目の軸を原点Cで断層像Ｆを直交する直線（軸Ｂ１と軸Ｂ２とに直交する直線）とする。」
第５　対比
　本願発明と引用発明とを対比する。
１　引用発明の「複数の断層画像を形成」するため、「集光された信号光の網膜ＲＴへの入射位置を順次変えることにより網膜ＲＴの走査を行」う「走査光学系２０４」は、本願発明の「被検眼眼底の断層画像を生成するための測定光を前記眼底上に走査させる走査手段」に相当する。
２　引用発明の「眼底画像を形成する」「眼底カメラ２０２」は、本願発明の「前記被検眼眼底の正面画像を生成するための観察光学系」に相当する。
３　引用発明の「視神経乳頭部と黄斑を結ぶ基準線と直交」する「垂直方向のスキャンにより」「第１の断層画像６０２」「を取得し、また、これと合わせて眼部の網膜の表面の画像（眼底画像）も取得」することは、本願発明の「前記正面画像、および、前記走査手段によって前記測定光が走査される横断位置における前記断層画像を取得する」ことに相当する。
４　上記３を踏まえると、引用発明の「光干渉断層撮影システム」は、本願発明の「眼科撮影装置」に相当する。
５　引用発明の「本撮影の主走査方向が、視神経乳頭部と黄斑を結ぶ基準線と直交して」いることは、「本撮影の主走査線」を設定する際、眼底画像上で「視神経乳頭部と黄斑を結ぶ基準線」を設定しているといえることから、引用発明は、本願発明の「被検眼眼底の黄斑上と乳頭上を通過する基準ラインを、前記正面画像上に設定する基準ライン設定手段」に相当する構成を備えているといえる。
６　引用発明の「本撮影の主走査方向が、視神経乳頭部と黄斑を結ぶ基準線と直交して」いることは、「視神経乳頭部と黄斑を結ぶ基準線と直交」する「本撮影の主走査線」を設定しているといえることから、引用発明は、本願発明の「前記基準ライン設定手段によって設定された前記基準ラインに対する角度が所定角度である前記横断位置を設定する横断位置設定手段」に相当する構成を備えているといえる。
７　上記５から、引用発明は、本願発明の「前記基準ライン設定手段は、前記観察光学系によって生成される前記正面画像上における被検眼眼底の黄斑と乳頭の位置を検出し、黄斑上と乳頭上を通過する前記基準ラインを前記正面画像上に設定する」のうち、「前記基準ライン設定手段は、黄斑上と乳頭上を通過する前記基準ラインを前記正面画像上に設定する」に相当する構成を備えているといえる。
　したがって、本願発明と引用発明とは、以下の点で一致し、以下の点で相違する。
（一致点）
「被検眼眼底の断層画像を生成するための測定光を前記眼底上に走査させる走査手段と、
前記被検眼眼底の正面画像を生成するための観察光学系と、を備え、前記正面画像、および、前記走査手段によって前記測定光が走査される横断位置における前記断層画像を取得する眼科撮影装置であって、
　被検眼眼底の黄斑上と乳頭上を通過する基準ラインを、前記正面画像上に設定する基準ライン設定手段と、
　前記基準ライン設定手段によって設定された前記基準ラインに対する角度が所定角度である前記横断位置を設定する横断位置設定手段と、
　前記走査手段の駆動を制御し、前記横断位置設定手段によって設定された前記横断位置に対応する前記眼底上に、前記測定光を走査させる走査制御手段と、を備え、
　前記基準ライン設定手段は、黄斑上と乳頭上を通過する前記基準ラインを前記正面画像上に設定する、眼科撮影装置。」
（相違点）
　黄斑上と乳頭上を通過する基準ラインを正面画像上に設定する際、本願発明では、「前記観察光学系によって生成される前記正面画像上における被検眼眼底の黄斑と乳頭の位置を検出し」ているのに対し、引用発明では、この特定がない点。
第６　判断
　上記相違点について検討する。
　眼科撮影装置において、観察光学系によって生成される正面画像上における被検眼眼底の黄斑と乳頭の位置を検出することにより、黄斑上と乳頭上を通過する基準ラインを正面画像上に設定することは、例えば、引用文献３〜５（上記第４の２〜４参照。）に記載されているように周知技術であり、引用発明では、「視神経乳頭部と黄斑を結ぶ基準線」をどのように設定するのか特定されてないところ、引用発明において、上記周知技術を適用し、観察光学系によって生成される眼底画像上における視神経乳頭部と黄斑の位置を検出することにより、「視神経乳頭部と黄斑を結ぶ基準線」を前記眼底画像上に設定することで、上記相違点に係る本願発明の構成とすることは、当業者が容易になし得ることである。
　そして、本願発明の奏する作用効果は、引用発明及び上記周知技術から予測される範囲内のものにすぎず、格別顕著なものということはできない。
　したがって、本願発明は、引用発明及び上記周知技術に基づいて、当業者が容易に発明をすることができたものである。
第７　むすび
　以上のとおり、本願発明は、特許法第２９条第２項の規定により、特許を受けることができないから、他の請求項に係る発明について検討するまでもなく、本願は拒絶すべきものである。
　よって、結論のとおり審決する。